(57)【要約】【課題】貯留装置を備えた遊技機を遊技場に設置する際、自動補給機の補給部材の向きに拘わらず補給部材を遊技機本体の開口部に容易に挿入し得るようにした遊技機を提供する。【解決手段】開口部２７を、補給部材８５の先端部８７のサイズの複数倍の長尺開口部として構成し、開口部２７の縁部２７ａ，２７ｂに該開口部２７を閉塞する長尺のカバー部材２６を着脱自在に装着し、更に、カバー部材２６の一部を欠落させて、開口部２７の略閉塞状態にて先端部８７を開口部２７に挿入する貫通口ｓを形成できるように構成した。これにより、雀球遊技機に対して自動補給機の補給部材８５の取付け位置を容易に変更でき、遊技場側の補給部材８５の位置に対してフレキシブルに対処することができる。【選択図】図１０
2009034299.tif 000002
【特許請求の範囲】
【請求項１】
遊技用媒体を貯留する貯留装置を遊技機本体内に備えると共に、該遊技機本体に、該遊技機本体外部の遊技用媒体補給機の補給部材の先端部を挿入する開口部を備え、該開口部に挿入された前記先端部を介して前記貯留装置に遊技用媒体が補給されてなる遊技機において、
前記開口部を、前記補給部材の先端部のサイズの複数倍の長尺開口部として構成し、かつ、
前記開口部の周縁部に該開口部を閉塞する長尺のカバー部材を着脱自在に装着すると共に、該カバー部材の一部を欠落させて、前記開口部の略閉塞状態にて前記補給部材の先端部を前記開口部に挿入する貫通口を形成し得るように構成した、
ことを特徴とする遊技機。
【請求項２】
前記カバー部材は、互いに分離可能に接合された複数の分離パーツからなり、
該複数の分離パーツは、それぞれ前記開口部の周縁部に係合し得る係合爪部を有してなる、
請求項１記載の遊技機。
【請求項３】
前記複数の分離パーツは、長手方向に略一定間隔で形成された溝部に沿ってそれぞれ分離可能に構成されてなる、
請求項２記載の遊技機。
【請求項４】
前記開口部と前記貯留装置との間に、該開口部に挿入された前記先端部から放出される遊技用媒体を前記貯留装置に導く漏斗状部材を備え、かつ、
該漏斗状部材は、前記開口部の長手方向に延びる遊技用媒体受入れ部と、該受入れ部から受け入れた遊技用媒体を前記貯留装置内に導入する導入部と、を有してなる、
請求項１ないし３のいずれか１項記載の遊技機。
【発明の詳細な説明】
【技術分野】
【０００１】
本発明は、雀球遊技機、スロットマシン、アレンジボール遊技機等の遊技機に係り、特に、遊技機本体内に備えた貯留装置に遊技用媒体補給機から遊技用媒体を補給してなる遊技機に関する。
【背景技術】
【０００２】
従来、遊技用媒体として遊技メダルを用いて遊技する遊技機には、雀球遊技機やスロットマシン（回胴式遊技機）が知られている。雀球遊技機には、各種遊技部品が配置された遊技盤の下部に、麻雀牌の図柄を付した所定数の入球口を備え、メダル投入口に遊技メダル（以下、単に「メダル」とも言う）が投入されると、麻雀牌の図柄を画像表示装置に適宜の組合せで自動的に表示する自動配牌機能を備えたものがある。この雀球遊技機では、画像表示装置に表示される手牌のうちから不要な牌（不要牌）が切り捨てられた際、１個の遊技球を再度打ち出しし得る状態となり、これら切り捨て操作（捨て牌操作）及び再打ち出し操作が所定回数以内にて繰り返し行われ、所定の上がり役が完成した時点で得点が計算され、その得点に応じた数の遊技メダルが払い出される。
【０００３】
また、スロットマシンは、複数種の絵柄からなるシンボルマークを円周方向に多数（通常は２１個）備えた横３列の回胴リールを、スタートレバー操作に基づいて回転させた後、３個のストップボタンをそれぞれ押圧操作することで、各ボタンに対応する回胴リールを順次停止させて、各回胴リールに備えたシンボルマークのうちの所定の絵柄同士が一致したときに当たりとなり、ボーナス取得として多数の遊技メダルがメダル受け皿に放出されるように構成されている。該スロットマシンでは、主基板に装着されたＲＯＭの抽選機能により役抽選を行い、該対応役の結果に応じて回胴リールを停止制御させてシンボルマークを揃える際等に視覚的な演出を行う。
【０００４】
上述した雀球遊技機やスロットマシンのように、遊技用媒体として遊技メダルを用いる遊技機は、投入或いは補給された遊技メダルを貯留する貯留装置としてのホッパユニットを備えている。このような遊技機は、ホッパユニット内の遊技メダルが不足した際に遊技メダルを自動的に補給する自動補給機を設備した遊技場に設置される際には、該自動補給機の補給部材が、遊技機本体の背面に設けられた開口部に挿入された状態で該背面に固定される。
【０００５】
また、ホッパユニットを備えたスロットマシンとして、以下のようなものが知られている（特許文献１参照）。該特許文献１に記載のスロットマシンでは、遊技メダルの自動補給の設備に対処する場合、設置時の奥行スペースを小さくすると共に、遊技メダルの補給を受ける連通路等を簡素化するため、自動補給機の補給部材を挿入する上記開口部が、遊技機本体の側面に設けられている。
【０００６】
【特許文献１】特開２０００−３２５５４８号公報
【発明の開示】
【発明が解決しようとする課題】
【０００７】
ところで、上述した補給部材挿入用の開口部を遊技機本体の背面若しくは側面に備えた遊技機では、補給部材の先端部の挿入位置が、背面や側面における一箇所に決まっている。そのため、このような遊技機では、設置される遊技場（ホール）によって補給部材の向きが一定でない状況下にあっては、遊技場内の設置状況に応じて補給部材のホースを引っ張って無理に合わせるような作業を余儀なくされ、或いは、自動補給機から遊技機に遊技用媒体を送る連通路の変更を余儀なくされる等の虞があった。
【０００８】
そこで本発明は、貯留装置を遊技機本体内に備えた遊技機を遊技場に設置する場合、遊技場に備えた自動補給機の補給部材の向きに拘わらず該補給部材を遊技機本体の開口部に容易に挿入し得るように構成し、もって上述した課題を解決した遊技機を提供することを目的とするものである。
【課題を解決するための手段】
【０００９】
請求項１に係る本発明は（例えば図１ないし図１４参照）、遊技用媒体（Ｍ）を貯留する貯留装置（５７）を遊技機本体（１ａ，６１ａ）内に備えると共に、該遊技機本体に、該遊技機本体外部の遊技用媒体補給機の補給部材（８５）の先端部（８７）を挿入する開口部（２７）を備え、該開口部（２７）に挿入された前記先端部（８７）を介して前記貯留装置（５７）に遊技用媒体（Ｍ）が補給されてなる遊技機（１，６１）において、
前記開口部（２７）を、前記補給部材（８５）の先端部（８７）のサイズ（ｄ）の複数倍の長尺開口部として構成し、かつ、
前記開口部（２７）の周縁部に該開口部（２７）を閉塞する長尺のカバー部材（２６）を着脱自在に装着すると共に、該カバー部材（２６）の一部を欠落させて、前記開口部（２７）の略閉塞状態にて前記補給部材（８５）の先端部（８７）を前記開口部（２７）に挿入する貫通口（ｓ）を形成し得るように構成した、
ことを特徴とする遊技機（１，６１）にある。
【００１０】
請求項２に係る本発明は（例えば図６参照）、前記カバー部材（２６）が、互いに分離可能に接合された複数の分離パーツ（２６ａ，２６ｂ，２６ｃ，２６ｄ，２６ｅ，２６ｆ）からなり、
該複数の分離パーツ（２６ａ〜２６ｆ）は、それぞれ前記開口部（２７）の周縁部（２７ａ，２７ｂ）に係合し得る係合爪部（２８）を有してなる、
請求項１記載の遊技機（１，６１）にある。
【００１１】
請求項３に係る本発明は（例えば図６参照）、前記複数の分離パーツ（２６ａ〜２６ｆ）が、長手方向に略一定間隔で形成された溝部（ｇ）に沿ってそれぞれ分離可能に構成されてなる、
請求項２記載の遊技機（１，６１）にある。
【００１２】
請求項４に係る本発明は（例えば図３，図７，図８，図１０，図１２参照）、前記開口部（２７）と前記貯留装置（５７）との間に、該開口部（２７）に挿入された前記先端部（８７）から放出される遊技用媒体（Ｍ）を前記貯留装置（５７）に導く漏斗状部材（２９）を備え、かつ、
該漏斗状部材（２９）は、前記開口部（２７）の長手方向に延びる遊技用媒体受入れ部（２９ａ）と、該受入れ部（２９ａ）から受け入れた遊技用媒体（Ｍ）を前記貯留装置（５７）内に導入する導入部（２９ｄ）と、を有してなる、
請求項１ないし３のいずれか１項記載の遊技機（１，６１）にある。
【００１３】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１４】
請求項１に係る本発明によると、開口部を、補給部材の先端部のサイズの複数倍の長尺開口部として構成し、開口部の周縁部に該開口部を閉塞する長尺のカバー部材を着脱自在に装着すると共に、該カバー部材の一部を欠落させて、開口部の略閉塞状態にて補給部材の先端部を開口部に挿入する貫通口を形成し得るように構成したので、遊技機に対して自動補給機の補給部材の取付け位置を容易に変更することができる。すなわち、遊技機を遊技場に設置する際、製造メーカーが違っているとしても、カバー部材の一部を欠落させて補給部材の挿入箇所の位置を変えることで、遊技場に設置された自動補給機の補給部材の位置に対してフレキシブルに対処でき、これにより筐体設計上の自由度が高まるという効果も得られる。また、このように補給部材の先端部の位置関係の調整効果もあるが、これとは逆に、遊技機本体内の部品の配置に応じて先端部の挿入位置を変更することもできる。つまり、補給部材の先端部を開口部に挿入する際の状況に余裕がある場合は、遊技機本体内の貯留装置の位置等に合わせて開口部の貫通口の位置を変更し、先端部の挿入位置を適宜調整することができる。
【００１５】
請求項２に係る本発明によると、カバー部材が、互いに分離可能に接合された複数の分離パーツからなり、該複数の分離パーツが、それぞれ開口部の周縁部に係合し得る係合爪部を有するので、所要の箇所に対応する分離パーツを欠落させることで開口部の貫通口の位置を適切に調整できると共に、一旦分離した分離パーツを開口部に対して個別に装着して再利用することができる。
【００１６】
請求項３に係る本発明によると、複数の分離パーツが、長手方向に略一定間隔で形成された溝部に沿ってそれぞれ分離可能に構成されるので、補給部材の先端部を挿入すべき所定の位置に貫通口を適切にかつ容易に形成することができる。
【００１７】
請求項４に係る本発明によると、開口部と貯留装置との間に、該開口部に挿入された先端部から放出される遊技用媒体を貯留装置に導く漏斗状部材を備え、該漏斗状部材が、開口部の長手方向に延びる遊技用媒体受入れ部と、該受入れ部から受け入れた遊技用媒体を貯留装置内に導入する導入部とを有するので、貯留装置と開口部との間に漏斗状部材を介在したことで、補給部材の先端部の位置、或いは貯留装置の位置に拘わらず、自動補給機から遊技用媒体を確実に補給し得る環境が実現する。
【発明を実施するための最良の形態】
【００１８】
以下、本発明に係る遊技機の実施形態として、遊技場等に設置される雀球遊技機を図面に沿って説明する。なお、図１は本実施形態における雀球遊技機を示す斜視図、図２は図１における遊技盤面部を抜粋して示す斜視図、図３は雀球遊技機の前扉全体を開放して内部構造を示す正面図である。
【００１９】
本実施形態では、２７種の牌の図柄を各４個、計１０８個の牌を使用して遊技を行う雀球遊技機１を例に挙げて説明する。この２７種の牌の図柄は、例えば、萬子が「一萬」〜「九萬」の９種、筒子が「一筒」〜「九筒」の９種、索子が「一索」と「九索」の２種、字牌が「東」「南」「西」「北」「白」「發」「中」の７種である。従って、萬子と筒子が数牌となり、索子の「一索」と「九索」は、順子を形成することができないので字牌に含めている。これにより、本実施形態における牌種とは、上記の「萬子」、「筒子」、「字牌」の３種を示すことになる。なお、上記した２種の数牌は、萬子、筒子、及び索子のうちのいずれの２種であってもよく、例えば、萬子と索子とで数牌を形成した場合には、筒子の「一筒」と「九筒」とを字牌とするように選定した雀球遊技機を構成してもよい。
【００２０】
本雀球遊技機１は、図１に示すように、筐体１ｃと、該筐体１ｃに対して開閉可能に支持された前扉１ｂと、を備えている。これら筐体１ｃ及び前扉１ｂにより遊技機本体１ａが構成される。前扉１ｂの前面部には、操作パネル３、該操作パネル３の下方に設けられた遊技球発射レバー４、メダル受け皿５、音声や効果音（以下、一括して音声という）を出力する音声出力装置であるスピーカー６、ランプ装置７等が配置されている。前扉１ｂには透明ガラス４１が取り付けられ、前扉１ｂの閉止時には該透明ガラス４１が遊技盤２と対向するように位置する。そして、前扉１ｂの透明ガラス４１を通した奥側で遊技盤２の前面には、図２に示す遊技エリアを形成する遊技盤面部２ａが配置されている。なお、符号１７は、不図示の発射装置によって打ち出された遊技球を遊技盤面部２ａ側に案内するガイドレールを示している。
【００２１】
操作パネル３には、液晶表示装置等からなる画像表示部１４、メダル投入口１５、及び各種の操作ボタンが設けられている。この各種の操作ボタンとして、１３個のボタンが横方向に並設された捨て牌ボタン１６…、自摸牌捨てボタン３９、リーチボタン１８、牌選択右シフトボタン１９、牌選択左シフトボタン２０、自摸牌決定ボタン２１、払い出しボタン２２、遊技終了ボタン２３、遊技開始ボタン２４、及びリジェクト（ＲＥＪＥＣＴ）ボタン２５が配置されている。
【００２２】
図２に示すように、遊技盤面部２ａの略中央部には、液晶パネル等の画像表示装置３８を開口部１３から露出した状態のセンター飾り１２が配置されている。センター飾り１２は、開口部１３の上部に演出装置４０を有し、開口部１３の下部に遊技球の進路を振り分けるステージＳを有している。センター飾り１２の右方には、遊技球が通過可能なアタッカー作動通過口１０が配置され、該アタッカー作動通過口１０の直下方にはアタッカー９が配置されている。
【００２３】
センター飾り１２の上方には表示部３７が配置され、センター飾り１２の左右下方には入球口１１ａ，１１ｂが配置され、センター飾り１２の下方には入球口１１ｃ〜１１ｅ、…が配置されている。また、センター飾り１２の下方で且つ上記入球口１１ｃ〜１１ｅ、…の直ぐ上方には、各入球口の入球幅を規制するための多数の障害釘（図示せず）が打ち込まれている。なお、遊技盤面部２ａには、風車（図示せず）や上記とは別の障害釘（図示せず）が設けられている。
【００２４】
センター飾り１２におけるステージＳの下方には、複数個（本実施形態では２５個）の入球口１１ｃ、１１ｄ、１１ｅ、…を有した入球ユニット５３が配置されている。これら入球口１１ｃ、１１ｄ、１１ｅ、…は、索子牌を除いた牌の図柄２５種（図柄は図示せず）に対応して２５個が設けられている。入球口１１ａ，１１ｂにはそれぞれ「一索」と「九索」が表示されており、また入球口１１ｃには「一萬」、入球口１１ｄには「二萬」、入球口１１ｅには「三萬」というように、所要の麻雀牌図柄が順次表示されている。なお、符号５３ａは、入球ユニット５３の前カバーを示している。
【００２５】
また、遊技機本体１ａの内部には、図３に示すように、前扉１ｂ全体を開放した状態において、電源基板５５、主制御基板５６、ホッパユニット（貯留装置）５７、メダル払出し装置４８、及び受容箱５８が上部から下部に向かって配設されている。筐体１ｃ（つまり、遊技機本体１ａ）の背面３０（図５参照）におけるホッパユニット５７のやや上方には、開口部２７が表裏貫通して形成されている。この開口部２７から、補給部材８５の先端部８７が挿入されて、ホッパユニット５７の上部に固定された漏斗状部材２９を臨むように位置している。また、遊技球を遊技盤面部２ａに打ち出す発射装置５１の内面には、打撃レバー７１が配置されており、該発射装置５１の右上方には、循環ユニット７３が装着されている。
【００２６】
本雀球遊技機１は、遊技場における遊技機本体１ａ外部に配置された不図示の自動補給機（遊技用媒体補給機）から補給部材８５を介して、上記ホッパユニット５７に遊技メダル（遊技用媒体）Ｍを補給されるように構成されている。該雀球遊技機１では、上記開口部２７が、補給部材８５の先端部８７の左右幅方向（横方向）のサイズｄ（図４参照）の複数倍（本実施形態では６倍）の長尺開口部として構成され、また、該開口部２７を閉塞するカバー部材２６は、該開口部２７の縁部（周縁部）２７ａ，２７ｂに着脱自在に装着されるように構成される。
【００２７】
ここで、上記補給部材８５を遊技機本体１ａの背面３０（つまり、筐体１ｃの背面３０）に装着する構造について、図４及び図５を参照して説明する。なお、図４は、補給部材８５の装着前の状態を示す斜視図、図５は、背面３０に装着した状態の補給部材８５を一部断面した状態で示す側面図である。
【００２８】
図４及び図５に示すように、補給部材８５は、遊技機本体１ａの背面３０に複数本の木ネジ３６で固定される金属製の固定プレート部８８と、該固定プレート部８８の下部に、左右に突出するブラケット８６ｂをビス止めされた金属製の矩形筒状部８６と、該矩形筒状部８６の下部に連結されて該矩形筒状部８６に連通する金属製の先端部８７と、から構成されている。矩形筒状部８６は、上方に開口するメダル取入れ部８６ａに、雀球遊技機１が設置される遊技島設備に設けられている不図示の自動補給機（遊技用媒体補給機）から延びる蛇腹状のホース９０（蛇腹形状については図示を省略）が連結される。このため、該自動補給機から所定の契機（例えば、ホッパユニット５７内の遊技メダルＭが不足した時点）で遊技メダルＭが放出されると、それら遊技メダルＭが、蛇腹ホース９０、矩形筒状部８６及び先端部８７を介して、遊技機本体１ａ内のホッパユニット５７に補給される。なお、符号８８ａは、固定プレート部８８の左右縁部８８ｂに複数形成された貫通孔を示している。
【００２９】
次に、図３及び図６を参照して、上記カバー部材２６の詳細な構造について説明する。なお、図６はカバー部材２６を詳細に示す図であり、（ａ）はカバー部材２６をその長手方向に見た状態で示す側面図、（ｂ）はカバー部材２６をその長手方向と直交する方向に見た状態で示す側面図、（ｃ）はカバー部材２６をその上方から見た状態で示す平面図である。
【００３０】
上記カバー部材２６は、図３及び図６（ａ），（ｂ），（ｃ）に示すように、互いに分離可能に接合された複数（本実施形態では６個）の分離パーツ２６ａ，２６ｂ，２６ｃ，２６ｄ，２６ｅ，２６ｆからなり、開口部２７の長尺形状に沿って背面３０の左右幅方向に長尺な形状に構成される。そして、カバー部材２６は、分離パーツ２６ａ〜２６ｆのいずれかを分離させることで（即ち、カバー部材２６の一部を欠落させることで）、開口部２７の略閉塞状態にて補給部材８５の先端部８７を開口部２７に挿入するための貫通口ｓを形成し得るように構成されている。
【００３１】
また、上記分離パーツ２６ａ〜２６ｆは、長手方向に略一定間隔で形成された溝部ｇに沿ってそれぞれ分離可能に構成されると共に、開口部２７の縁部２７ａ，２７ｂに係合し得る係合爪部２８を上下に２個ずつ有している。該係合爪部２８は、開口部２７に挿入される際に縁部２７ａ，２７ｂに摺接しながら該開口部２７の内側に撓んだ後、該開口部２７を通過した際に復元して縁部２７ａ，２７ｂに堅固に係合する形状を呈する。分離パーツ２６ａ〜２６ｆはこのような係合爪部２８をそれぞれに有するので、溝部ｇに沿って分離された後も、１枚１枚が個々に開口部２７に対して装着され得る。なお、図３及び図８に示されるカバー部材２６は、どの部分も分離されることのない初期状態のままで装着されている。
【００３２】
上記カバー部材２６は、合成樹脂材（プラスチック）からなることが製造の簡便さ及び分離作業の簡便さにおいて好ましいが、木製パネルで構成することも可能である。また、所要の強度を保ちながら溝部ｇに沿って容易に分離し得る程度の薄さにできるのであれば、金属材で構成することも可能である。
【００３３】
次に、図７を参照して、上記漏斗状部材２９の詳細な構造について説明する。なお、図７は漏斗状部材２９を詳細に示す図であり、（ａ）は漏斗状部材２９の正面図、（ｂ）は漏斗状部材２９を上方から見た状態で示す平面図、（ｃ）は漏斗状部材２９を一側方から見た状態で示す側面図である。
【００３４】
上記漏斗状部材２９は、開口部２７に先端部８７を挿入した補給部材８５からの遊技メダルＭを円滑に補給できるように、ホッパユニット５７と開口部２７との間に介在されている。該漏斗状部材２９は、図７（ａ）〜（ｃ）に示すように、開口部２７の長手方向に延びるメダル受入れ部（遊技用媒体受入れ部）２９ａと、該メダル受入れ部２９ａから受け入れた遊技メダル（遊技用媒体）Ｍをホッパユニット５７に導入する導入部２９ｄと、メダル受入れ部２９ａに先端部８７から補給される遊技メダルＭを導入部２９ｄに案内するように傾斜する案内部２９ｂと、導入部２９ｄをホッパユニット５７のメダル受入れ部５７ａに対向させた状態の漏斗状部材２９を、筐体１ｃの内面（つまり、背面３０の内側）に固定するためのブラケット部２９ｃと、を有している。
【００３５】
なお、本実施形態では、上記漏斗状部材２９を、遊技機本体１ａの左右幅方向に長い両広形状の例を挙げて説明するが、これに限らず、例えば図７（ａ）における左方にのみ延びるように形成されたもの、或いは図７（ａ）における右方にのみ延びるように形成されたものとして構成することもできる。これらの場合、例えば図８において、開口部２７の実際に開口する部分（貫通口ｓ）に対向することができるタイプのもの（左方に長いもの、右方に長いもの）を選択して用いればよい。なお、図８における符号１３は、雀球遊技機１の運搬時に手を掛けるための穴部を示す。
【００３６】
そして、上記ホッパユニット５７は、図３及び図８に示すように、補給部材８５の先端部８７からの遊技メダルＭを受け入れるメダル受入れ部５７ａと、該メダル受入れ部５７ａに補給されてオーバーフローした遊技メダルＭを、隣接する受容箱５８側に排出するための排出口５７ｃと、を有している。また、上記メダル払出し装置４８は、メダル受入れ部５７ａ内の遊技メダルＭをメダル受け皿５に払い出す払出口４８ａを有している。
【００３７】
ここで、上記補給部材８５を背面３０に装着する際の作業について説明する。すなわち、遊技場への初期設置状態では図８のように分離パーツ２６ａ〜２６ｆが連続した状態になっている雀球遊技機１を（この場合、筐体１ｃの背面側は図９のようになっている）、遊技場に設置されている自動補給機の蛇腹ホース９０の状態（つまり、蛇腹ホース９０の雀球遊技機１に対する向きや開口部２７までの長さ等の状態）に応じて、分離パーツ２６ａ〜２６ｆのうちの適宜のものを溝部ｇで切り取り、開口部２７の所要の位置に貫通口ｓを形成する。その場合は、開口部２７からカバー部材２６を一旦取り外して、分離パーツ２６ａ〜２６ｆのうちから欠落させるべきものを切り取った後、残った部分を開口部２７の縁部２７ａ，２７ｂに装着する。
【００３８】
そして、例えば筐体１ｃの向かって右側までは蛇腹ホース９０が届かない場合、或いは、逆にホース長に余裕があって左側まで十分に延ばせるような場合には、図１０に示すように、開口部２７における左側のパーツ２６ｂを除去し、同図のように開口部２７の一部を開放して貫通口ｓを形成し、当該貫通口ｓから先端部８７を挿入し、予め筐体１ｃ内に固定していた漏斗状部材２９のメダル受入れ部２９ａに挿入する。この場合、筐体１ｃの背面側は図１１のようになっている。
【００３９】
また、例えば筐体１ｃの左側までは蛇腹ホース９０が届かない場合、或いは、逆に余裕があって右側まで十分に延ばせるような場合には、図１２に示すように開口部２７における右側のパーツ２６ｄを除去し、同図のように開口部２７の一部を開放して貫通口ｓを形成し、当該貫通口ｓから先端部８７を挿入し、漏斗状部材２９のメダル受入れ部２９ａに挿入する。この場合、筐体１ｃの背面側は図１３のようになっている。
【００４０】
これらの状態において、図５に示すように、固定プレート部８８の左右縁部８８ｂの複数の貫通孔８８ａにそれぞれ木ネジ３６を挿通して背面３０にねじ込むことにより、補給部材８５を背面３０における適正な位置に固定する。これに先立ち、若しくはこの後、矩形筒状部８６の上部に蛇腹ホース９０の下端部を固定する。
【００４１】
続いて、上述した雀球遊技機１の遊技手順とこの手順に伴う各処理の概要について説明する。すなわち、１ゲームは、遊技者がメダル投入口１５へメダルを投入して、遊技開始ボタン２４を押圧し、１４個の手牌が画像表示部１４上に配牌表示されることによりスタートする。そして、遊技者が捨て牌ボタン１６…、等の各種の操作ボタンを操作し、該操作に基づいて各種センサから発生される入力信号及び制御信号に基づき、１ゲームが進行していくことになる。
【００４２】
つまり、遊技者がメダル投入口１５にメダルを投入し、遊技開始ボタン２４を押圧すると、１ゲームの遊技が開始できる状態になり、引き続き、ゲームを開始するために必要な１４個の配牌の図柄が自動的に決められ、画像表示部１４の手牌表示部（図示せず）と自摸牌表示部（図示せず）に表示される。更に、表ドラ及び裏ドラの牌の図柄の画像が、画像表示部１４の不図示の表ドラ表示部と裏ドラ表示部に表示され、ビッグ役及びチャンス役がビッグゲーム上がり役表示部（図示せず）と、チャンスゲーム上がり役表示部（図示せず）とにそれぞれ表示される。そして、遊技の開始条件が整ったことが画面表示又は音声で遊技者に報知される。
【００４３】
この状態において、遊技者は、手牌表示部と自摸牌表示部に表示されている牌の図柄から、捨て牌を選択する操作を行う。遊技者は、捨てる牌の図柄を決定すると、この捨て牌の図柄に対応する捨て牌ボタン１６…、或いは自摸牌捨てボタン３９のいずれか１つを選択（オン）してこの牌を捨てる。すると、遊技球が遊技球発射位置に１球送られ、遊技球発射レバー４の操作で遊技盤面部２ａ内に遊技球を発射できる状態になる。
【００４４】
遊技者が遊技球を発射し、この遊技球が入球口１１ａ、１１ｂ、１１ｃ、…の何れかに入球すると、該入球に対応する牌（自摸牌）の図柄が自摸牌表示部（図示せず）に表示される。この牌を自摸ったことで和了しない場合、遊技者は、１４個の手牌の中から不要と思われる１個の牌を捨てる捨て牌操作を行う。そして、遊技者は、このような操作を順次実行していき、所望の上がり役が聴牌（テンパイ）したと判断した時点で、リーチボタン１８を操作してリーチをかけ、或いはリーチをかけずに、１ゲーム中で発射可能な遊技球数が尽きるまで上がり牌を自摸る操作を続ける。
【００４５】
以上のように本雀球遊技機１では、開口部２７が、補給部材８５の先端部８７のサイズｄの複数倍の長尺開口部として構成され、開口部２７の縁部２７ａ，２７ｂに該開口部２７を閉塞する長尺のカバー部材２６を着脱自在に装着し、該カバー部材２６の一部を欠落させて、開口部２７の略閉塞状態にて先端部８７を開口部２７に挿入する貫通口ｓを形成できるように構成した。これにより、雀球遊技機１に対して自動補給機の補給部材８５の取付け位置を容易に変更することができる。つまり、雀球遊技機１を遊技場に設置する際、製造メーカーが違っているとしても、カバー部材２６の一部を欠落させて補給部材８５の挿入箇所の位置を変えることで、遊技場に設置された自動補給機の補給部材８５の位置に対してフレキシブルに対処することができ、これにより筐体設計上の自由度を高めることができる。
【００４６】
また、このように自動補給機の補給部材８５の先端部８７の位置関係の調整もあるが、これとは逆に、遊技機本体内の部品の配置に応じて先端部８７の挿入位置を変更することもできる。すなわち、先端部８７を開口部２７に挿入する際の状況に余裕がある場合には、遊技機本体１ａ内のホッパユニット５７の位置等の状況に合わせて開口部２７の貫通口ｓの位置を変更して、先端部８７の挿入位置を適宜変更することができる。
【００４７】
更に、本雀球遊技機１では、カバー部材２６が、互いに分離可能に接合された分離パーツ２６ａ〜２６ｆからなり、該分離パーツ２６ａ〜２６ｆが、それぞれ開口部２７の縁部２７ａ，２７ｂに係合し得る係合爪部２８を有している。このため、所要の箇所に対応する分離パーツ２６ａ〜２６ｆのいずれかを欠落させることで開口部２７の貫通口ｓの位置を適切に調整できると共に、一旦分離した分離パーツを開口部２７に対して個別に装着して再利用することができる。また、分離パーツ２６ａ〜２６ｆが、長手方向に略一定間隔で形成された溝部ｇに沿ってそれぞれ分離可能に構成されるので、補給部材８５の先端部８７を挿入すべき所定の位置に貫通口ｓを適切にかつ容易に形成することができる。
【００４８】
そして、本雀球遊技機１では、開口部２７とホッパユニット５７との間に、該開口部２７に挿入された先端部８７から放出される遊技メダルＭをホッパユニット５７に導く漏斗状部材２９を備え、該漏斗状部材２９が、開口部２７の長手方向に延びるメダル受入れ部２９ａと、該メダル受入れ部２９ａから受け入れた遊技メダルＭをホッパユニット５７内に導入する導入部２９ｄとを有している。このように、ホッパユニット５７と開口部２７との間に漏斗状部材２９を介在したことで、補給部材８５の先端部８７の位置、或いはホッパユニット５７の位置に拘わらず、自動補給機から遊技メダルＭを確実に補給し得る環境を実現することができる。
【００４９】
また、本雀球遊技機１を、自動補給機を備えていない遊技場で使用する場合には、図８に示すように、カバー部材２６を一切欠落させない状態で開口部２７に嵌め込んで、該開口部２７を閉塞しておく。その場合、ホッパユニット５７への遊技メダルＭの補給は、遊技場の係員による手補給になるため、漏斗状部材２９は不要であり、従って、該漏斗状部材２９は取り外した状態にしておく。
【００５０】
なお、本発明は、上述した雀球遊技機１に限らず、図１４に示すようなスロットマシン（回胴遊技機）６１や、アレンジボール遊技機に適用されてもよい。同図は、当該他の実施形態におけるスロットマシン６１の外部構造を概略的に示す斜視図である。
【００５１】
他の実施形態におけるスロットマシン６１は、図１４に示すように、筐体６２と、筐体６２の一側部に開閉自在に取り付けられて遊技者に面する前扉６３と、を備えている。これら筐体６２と前扉６３とによって遊技機本体６１ａが構成される。
【００５２】
前扉６３は、図１４の上下方向における略中央部分に操作パネル６４を有し、操作パネル６４の上方及び下方に、液晶表示パネル６６及びメダル受け皿６７をそれぞれ有している。このメダル受け皿６７内には、入賞時にメダル払出し口６５から遊技メダルが払い出される。また、液晶表示パネル６６の上方には、クレジット枚数、ベット（ＢＥＴ）枚数、及び払い出し状況等を表示するための遊技状態表示部６８が設けられている。操作パネル６４には、上面にベットボタン６９及びメダル投入部７０が配置され、前面にスタートレバー７２及び３個のストップボタン７４が配置されている。なお、同図において、液晶表示パネル６６内方に見えるはずの回胴リール等は、便宜上図示を省略している。
【００５３】
筐体６２の内方には、中央部分に回胴リール装置（図示せず）が設けられ、最下部に、図３で説明したものと同様のホッパユニット（図示せず）が配置され、また、遊技機本体６１ａの背面（図示せず）には、先の雀球遊技機１における開口部２７と同様の開口部（図示せず）が形成されると共に、該開口部とホッパユニットとの間には、漏斗状部材２９と同様の漏斗状部材が介在されている。当該ホッパユニットは、入賞時にメダル払出し口６５から払い出すための多数の遊技メダルを収容する。更に、ホッパユニットの側方に隣接するように、該ホッパユニットから溢れ出た遊技メダルを収容し得る受容箱（図示せず）も、図３と同様に配置されている。
【００５４】
このようなスロットマシン６１によっても、先の実施形態における雀球遊技機１と同様の作用効果を奏することができる。
【００５５】
以上、本発明をその好適な実施形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００５６】
【図１】本発明の実施形態における雀球遊技機の外部構造を示す斜視図である。
【図２】図１における遊技盤面部を抜粋して示す斜視図である。
【図３】雀球遊技機の前扉全体を開放して内部構造を示す正面図である。
【図４】補給部材の装着前の状態を示す斜視図である。
【図５】背面に装着した状態の補給部材を一部断面した状態で示す側面図である。
【図６】カバー部材を詳細に示す図であり、（ａ）はカバー部材をその長手方向に見た状態で示す側面図、（ｂ）はカバー部材をその長手方向と直交する方向に見た状態で示す側面図、（ｃ）はカバー部材をその上方から見た状態で示す平面図である。
【図７】漏斗状部材を詳細に示す図であり、（ａ）は漏斗状部材の正面図、（ｂ）は漏斗状部材を上方から見た状態で示す平面図、（ｃ）は漏斗状部材を一側方から見た状態で示す側面図である。
【図８】雀球遊技機の前扉全体を取り外して内部構造を示す斜視図である。
【図９】図８に対応する背面側から見た状態を示す斜視図である。
【図１０】雀球遊技機の前扉全体を取り外して内部構造を示す別の斜視図である。
【図１１】図１０に対応する背面側から見た状態を示す斜視図である。
【図１２】雀球遊技機の前扉全体を取り外して内部構造を示す更に別の斜視図である。
【図１３】図１２に対応する背面側から見た状態を示す斜視図である。
【図１４】スロットマシンの外部構造を概略的に示す斜視図である。
【符号の説明】
【００５７】
１，６１    遊技機（雀球遊技機、スロットマシン）
１ａ，６１ａ    遊技機本体
２６    カバー部材
２６ａ〜２６ｆ    分離パーツ
２７    開口部
２７ａ，２７ｂ    周縁部（縁部）
２８    係合爪部
２９    漏斗状部材
２９ａ    遊技用媒体受入れ部（メダル受入れ部）
２９ｄ    導入部
５７    貯留装置（ホッパユニット）
８５    補給部材
８７    補給部材の先端部
ｇ    溝部
Ｍ    遊技用媒体（遊技メダル）
ｓ    貫通口
【図１】
2009034299.tif 000003
【図２】
2009034299.tif 000004
【図３】
2009034299.tif 000005
【図４】
2009034299.tif 000006
【図５】
2009034299.tif 000007
【図６】
2009034299.tif 000008
【図７】
2009034299.tif 000009
【図８】
2009034299.tif 000010
【図９】
2009034299.tif 000011
【図１０】
2009034299.tif 000012
【図１１】
2009034299.tif 000013
【図１２】
2009034299.tif 000014
【図１３】
2009034299.tif 000015
【図１４】
2009034299.tif 000016